(57)【要約】【課題】本発明は除湿装置に関するもので、消費電力を低減することできるものである。【解決手段】吸気口２から本体ケース１内に吸い込まれた空気は、第１の熱交換風路１１ｃ、吸熱器１３、第２の熱交換風路１１ｄ、放熱器５、を順次介する除湿風路１４を通過する空気と、第１の熱交換風路１１ｃ、第２の熱交換風路１１ｄおよび吸熱器１３を介さずに放熱器５を介するバイパス風路１５を通過する空気とに分けられ、放熱器５の上端部５ａは、熱交換器１１の上端よりも上の高さ位置に設けられ、上端部５ａがバイパス風路１５を形成することを特徴とする除湿装置。【選択図】図３
2015013245.tif 000002
【特許請求の範囲】
【請求項１】
本体ケースと、該本体ケース内に設けられた送風機、ヒートポンプおよび熱交換器とを備えた除湿装置であって、前記本体ケースは吸気口と吹出口を有し、前記吸気口は前記本体ケースの外周壁の上部に設けられ、前記送風機は前記吸気口から空気を吸い込んで前記吹出口から空気を吹き出し、前記ヒートポンプは、圧縮機と、該圧縮機の下流に順次設けた放熱器、膨張手段、吸熱器とにより形成し、前記放熱器と前記吸熱器は互いに対向し、前記放熱器と前記吸熱器との間に前記熱交換器が設けられ、前記熱交換器は熱交換を行なうことができる第１の熱交換風路と第２の熱交換風路とを備え、前記吸気口から前記本体ケース内に吸い込まれた空気は、前記第１の熱交換風路、前記吸熱器、前記第２の熱交換風路、前記放熱器、を順次介する除湿風路を通過する空気と、前記第１の熱交換風路、前記第２の熱交換風路および前記吸熱器を介さずに前記放熱器を介するバイパス風路を通過する空気とに分けられ、前記除湿風路を通過した空気と前記バイパス風路を通過した空気は前記送風機によって混合されて前記吹出口から吹き出され、前記放熱器の上端部は、前記熱交換器の上端よりも上の高さ位置に設けられ、該上端部が前記バイパス風路を形成することを特徴とする除湿装置。
【請求項２】
前記放熱器の前記上端部における何れかの高さは、前記吸気口の上端と下端の間の高さに位置することを特徴とする請求項１に記載の除湿装置。
【請求項３】
前記放熱器の前記上端部の下端よりも下方における前記放熱器の他の一部分が前記除湿風路を形成し、前記放熱器の前記上端部の下端から上端までの長さは、前記放熱器の前記他の一部分の下端から上端までの長さより短いことを特徴とする請求項１または２に記載の除湿装置。
【請求項４】
前記除湿風路を通過する空気の量よりも前記バイパス風路を通過する空気の量の方が多いことを特徴とする請求項３に記載の除湿装置。
【請求項５】
前記本体ケースの前記吹出口は、前記吸気口と同じ或いは前記吸気口よりも高い高さ位置に設けられたことを特徴とする請求項１〜４の何れか１項に記載の除湿装置。
【請求項６】
前記放熱器の前記上端部の下端より高い範囲に、前記熱交換器および前記吸熱器を設けず、前記放熱器の前記上端部の下端よりも低い範囲に、前記熱交換器および前記吸熱器を設けることを特徴とする請求項１〜５の何れか１項に記載の除湿装置。
【請求項７】
前記送風機は、スクロール形状のケーシング部と、該ケーシング部に固定されたモータ部と、該モータ部によって回転する羽根部とから形成し、前記ケーシング部は、吸込口と吐出口とを備え、前記ケーシング部の前記吸込口は、前記吸熱器、前記熱交換器、前記放熱器と対向し、前記バイパス風路は、前記放熱器の周縁部の少なくとも一部の近傍に連通することを特徴とする請求項１〜６の何れか１項に記載の除湿装置。
【請求項８】
前記送風機によって、前記吸気口から前記バイパス風路を介して前記放熱器の前記上端部へ送風される空気は、前記ヒートポンプの冷媒が流れる方向における前記放熱器の前記上端部の下流側に送風される風量より、前記ヒートポンプの冷媒が流れる方向における前記放熱器の前記上端部の上流側に送風される風量が大きいことを特徴とする請求項１〜７の何れか１項に記載の除湿装置。
【発明の詳細な説明】
【技術分野】
【０００１】
本発明は、ヒートポンプを利用して冷却除湿をおこなう除湿装置に関する。
【背景技術】
【０００２】
従来、この種の除湿装置は、熱交換手段を搭載した除湿装置が知られている（例えば特許文献１参照）。
【０００３】
このような従来の除湿装置の構成は以下のようになっていた。
【０００４】
除湿装置本体は、圧縮機、放熱器（凝縮器）、膨張手段（絞り装置）、吸熱器（蒸発器）をこの順に冷媒配管で接続してヒートポンプを形成し、吸熱器で除湿対象となる空気を冷却除湿するものであり、吸熱器から放熱器への風路中に直交流型の熱交換手段が配置されている。
【０００５】
上記構成において、流入口から流入した空気は熱交換手段へ入り、すでに吸熱器により冷却除湿された空気と熱交換して予冷され、流出口より出る。そして、風路によって空気の流れを２７０°変えられ、吸熱器を通って冷却除湿される。その後、冷却除湿された空気は熱交換手段の流入口より再び熱交換手段に入り流入口から流入した空気によって加熱され、流出口より出て、放熱器でさらに加熱されて、送風手段によって機外に送風される。
【先行技術文献】
【特許文献】
【０００６】
【特許文献１】特開２００５−２１４５３３号公報
【発明の概要】
【発明が解決しようとする課題】
【０００７】
このような従来の除湿装置で、より消費電力を下げるためには、放熱器を冷却する必要がある。ところが、放熱器の冷却のために送風量の増大をはかると、吸熱器に流入する空気も増大するため、吸熱器の顕熱交換量が増加し、吸気した空気が十分に除湿されずに排気される。更に、通風抵抗が大きい風路であるため、送風量を増大させるためには、送風手段の出力が増大する。
【０００８】
本発明は、このような従来の課題を解決するものであり、除湿装置の消費電力を低下することができる除湿装置を提供することを目的としている。
【課題を解決するための手段】
【０００９】
そして、この目的を達成するために、本発明は、本体ケースと、該本体ケース内に設けられた送風機、ヒートポンプおよび熱交換器とを備えた除湿装置であって、前記本体ケースは吸気口と吹出口を有し、前記吸気口は前記本体ケースの外周壁の上部に設けられ、前記送風機は前記吸気口から空気を吸い込んで前記吹出口から空気を吹き出し、前記ヒートポンプは、圧縮機と、該圧縮機の下流に順次設けた放熱器、膨張手段、吸熱器とにより形成し、前記放熱器と前記吸熱器は互いに対向し、前記放熱器と前記吸熱器との間に前記熱交換器が設けられ、前記熱交換器は熱交換を行なうことができる第１の熱交換風路と第２の熱交換風路とを備え、前記吸気口から前記本体ケース内に吸い込まれた空気は、前記第１の熱交換風路、前記吸熱器、前記第２の熱交換風路、前記放熱器、を順次介する除湿風路を通過する空気と、前記第１の熱交換風路、前記第２の熱交換風路および前記吸熱器を介さずに前記放熱器を介するバイパス風路を通過する空気とに分けられ、前記除湿風路を通過した空気と前記バイパス風路を通過した空気は前記送風機によって混合されて前記吹出口から吹き出され、前記放熱器の上端部は、前記熱交換器の上端よりも上の高さ位置に設けられ、該上端部が前記バイパス風路を形成することを特徴としたものであり、これにより所期の目的を達成するものである。
【発明の効果】
【００１０】
本発明によれば、除湿風路に流入する空気の量をほとんど変えることなく、放熱器に流れる空気を増加させることで、放熱器が冷却される。特に、放熱器の上端部は、熱交換器の上端よりも上の高さ位置に設けられているため、バイパス風路の通風抵抗を低くすることができ、放熱器の冷却を効率良く行うことができる。結果として、除湿能力の低下を防ぎつつ、除湿装置の消費電力を下げることができる。また、バイパス風路は、除湿風路に比べ通風抵抗が少ない風路であるため、ファンの出力増加を軽減することができる。これらの結果により、消費電力を低減させることができるのである。
【図面の簡単な説明】
【００１１】
【図１】本発明の実施の形態１の除湿装置を示す斜視図
【図２】本発明の実施の形態１の除湿装置を示す正面図
【図３】本発明の実施の形態１の除湿装置の鉛直断面を示す断面図
【図４】本発明の実施の形態１の除湿装置の上面を示す上面図
【図５】本発明の実施の形態１の除湿装置の熱交換器を説明する図
【発明を実施するための形態】
【００１２】
本発明の請求項１記載の除湿装置は、本体ケースと、該本体ケース内に設けられた送風機、ヒートポンプおよび熱交換器とを備えた除湿装置であって、前記本体ケースは吸気口と吹出口を有し、前記吸気口は前記本体ケースの外周壁の上部に設けられ、前記送風機は前記吸気口から空気を吸い込んで前記吹出口から空気を吹き出し、前記ヒートポンプは、圧縮機と、該圧縮機の下流に順次設けた放熱器、膨張手段、吸熱器とにより形成し、前記放熱器と前記吸熱器は互いに対向し、前記放熱器と前記吸熱器との間に前記熱交換器が設けられ、前記熱交換器は熱交換を行なうことができる第１の熱交換風路と第２の熱交換風路とを備え、前記吸気口から前記本体ケース内に吸い込まれた空気は、前記第１の熱交換風路、前記吸熱器、前記第２の熱交換風路、前記放熱器、を順次介する除湿風路を通過する空気と、前記第１の熱交換風路、前記第２の熱交換風路および前記吸熱器を介さずに前記放熱器を介するバイパス風路を通過する空気とに分けられ、前記除湿風路を通過した空気と前記バイパス風路を通過した空気は前記送風機によって混合されて前記吹出口から吹き出され、前記放熱器の上端部は、前記熱交換器の上端よりも上の高さ位置に設けられ、該上端部が前記バイパス風路を形成するという構成を有する。
【００１３】
この構成によれば、バイパス風路の通風抵抗を低くすることができ、放熱器の冷却を効率良く行うことができる。結果として、除湿能力の低下を防ぎつつ、除湿装置の消費電力を下げることができる。
【００１４】
また、前記放熱器の前記上端部における何れかの高さは前記吸気口の上端と下端の間の高さに位置するという構成にしてもよい。
【００１５】
この構成によれば、本体ケースの外周壁の上部に設けられた吸気口から吸い込まれた空気が、熱交換器の上方を水平方向に進み、バイパス風路を形成する放熱器の上端部に辿り着く。この空気は、吸気口から放熱器の上端部に至るまで、進行方向がほとんど曲げられることなく、放熱器の上端部に直接辿り着くことができるため、バイパス風路の通風抵抗をさらに低くすることができる。
【００１６】
また、前記放熱器の前記上端部の下端よりも下方における前記放熱器の他の一部分が前記除湿風路を形成し、前記放熱器の前記上端部の下端から上端までの長さは、前記放熱器の前記他の一部分の下端から上端までの長さより短いという構成にしてもよい。
【００１７】
この構成によれば、通風抵抗が比較的小さいバイパス風路を形成する放熱器の上端部を、通風抵抗が比較的大きい除湿風路を形成する放熱器の他の一部分よりも狭くすることができる。このため、除湿風路による除湿とバイパス風路による放熱器の冷却をバランス良く行うことができるので、除湿能力の低下を防ぎつつ、除湿装置の消費電力をさらに下げることができる。
【００１８】
また、前記除湿風路を通過する空気の量よりも前記バイパス風路を通過する空気の量の方が多いという構成にしてもよい。
【００１９】
この構成によれば、除湿風路による除湿とバイパス風路による放熱器の冷却をバランス良く行うことができるので、除湿能力の低下を防ぎつつ、除湿装置の消費電力をさらに下げることができる。
【００２０】
また、前記本体ケースの前記吹出口は、前記吸気口と同じ或いは前記吸気口よりも高い高さ位置に設けられたという構成にしてもよい。
【００２１】
この構成によれば、部屋の中で空気が効果的に吹き出されるため、除湿効率を高めることができる。
【００２２】
また、前記放熱器の前記上端部の下端より高い範囲に、前記熱交換器および前記吸熱器を設けず、前記放熱器の前記上端部の下端よりも低い範囲に、前記熱交換器および前記吸熱器を設けるという構成にしてもよい。
【００２３】
この構成によれば、本体ケースの外周壁の上部に設けられた吸気口から吸い込まれた空気が、吸熱器および熱交換器の上方を進み、バイパス風路を形成する放熱器の上端部に辿り着く。この空気は、吸気口から放熱器の上端部に至るまで、進行方向が頻繁に曲げられることなく、放熱器の上端部に直接辿り着くことができるため、バイパス風路の通風抵抗をさらに低くすることができる。
【００２４】
また、前記送風機は、スクロール形状のケーシング部と、該ケーシング部に固定されたモータ部と、該モータ部によって回転する羽根部とから形成し、前記ケーシング部は、吸込口と吐出口とを備え、前記ケーシング部の前記吸込口は、前記吸熱器、前記熱交換器、前記放熱器と対向し、前記バイパス風路は、前記放熱器の周縁部の少なくとも一部の近傍に連通するという構成にしてもよい。
【００２５】
また、前記送風機によって、前記吸気口から前記バイパス風路を介して前記放熱器の前記上端部へ送風される空気は、前記ヒートポンプの冷媒が流れる方向における前記放熱器の前記上端部の下流側に送風される風量より、前記ヒートポンプの冷媒が流れる方向における前記放熱器の前記上端部の上流側に送風される風量が大きいという構成にしてもよい。
【００２６】
この構成によれば、ヒートポンプの冷媒が流れる方向における放熱器の上端部の上流側は、放熱器の高温部分であるため、バイパス風路に吸気した空気をヒートポンプの冷媒が流れる方向における放熱器の上端部の上流側に多く送風することで、放熱器の熱交換量が大きくなる。このため、放熱器が効率よく冷却されることでヒートポンプの消費電力を低減できる。
【００２７】
以下、本発明の実施例について図面を参照しながら説明する。
【００２８】
（実施の形態１）
図１は、本実施形態の除湿装置１０の外観斜視図である。図１に示すように、除湿装置１０の本体ケース１は箱形状で、吸気口２と吹出口３を有している。吸気口２は本体ケース１の外周壁の上部に設けられ、吹出口３は吸気口２と同じ或いは吸気口２よりも高い高さ位置に設けられている。
【００２９】
ここで、本体ケース１の外周壁の上部とは、除湿装置１０を置いた状態で、本体ケース１の中心における高さ位置よりも高い位置における本体ケース１の外周壁の部分をいう。
【００３０】
また、除湿装置１０の下部には、除湿によって生じた水を溜めるタンク４が設けられている。
【００３１】
図２は、本実施形態の除湿装置１０の正面図である。図２では、除湿装置１０の吸気口２が開いた状態となっており、本体ケース１の外周壁の上部に設けられている。この例では、開いた状態の吸気口２から本体ケース１内部にある放熱器５の上端部５ａを見ることができる。
【００３２】
なお、図２は正面図であるため、本来、本体ケース１内部を見ることはできないが、便宜上、本体ケース１内に設けられたタンク４、圧縮機（コンプレッサ）６、ドレインパン７等を表示している。ドレインパン７は、後で述べる吸熱器１３の下方に設けられ、吸熱器１３を通過した空気が除湿されることによって生じた水を受けて、タンク４に水を送るものである。
【００３３】
図３は、図２のＡ−Ａ断面において、除湿装置１０の鉛直断面を示す断面図である。図３に示すように、除湿装置１０は、本体ケース１と、本体ケース１内に設けられた送風機８、ヒートポンプおよび熱交換器（顕熱交換器）１１とを備えている。なお、図２のＡ−Ａ断面では、本来、タンク４が表示されるが、便宜上、手前にある圧縮機６を表示している。
【００３４】
ヒートポンプは、圧縮機６と、圧縮機６の冷媒が流れる下流に順次設けた放熱器（凝縮器）５、膨張手段（キャピラリーチューブ）１２、吸熱器（蒸発器）１３とにより形成されており、これらを冷媒配管で接続して冷凍サイクルを形成している。この吸熱器１３で除湿対象となる空気を冷却除湿するものである。
【００３５】
送風機８は、スクロール形状のケーシング部８ａと、このケーシング部８ａに固定されたモータ部８ｂと、このモータ部８ｂによって回転する羽根部８ｃとから形成している。
【００３６】
ケーシング部８ａは、吸込口９ａと吐出口９ｂとを備えている。この吸込口９ａは、放熱器５に対向している。すなわち、吸熱器１３と、熱交換器１１と、放熱器５と、吸込口９ａとは、この例では一直線上に風路を有するものである。
【００３７】
図４は、本実施形態の除湿装置１０の上面を示す上面図である。図４にも示すように、放熱器５と吸熱器１３は互いに対向し、放熱器５と吸熱器１３との間に熱交換器１１が設けられている。
【００３８】
図５に示すように、熱交換器１１は、例えば、直交流型の熱交換器などの顕熱交換器であり、樹脂または金属などからなる第１の伝熱板１１ａと第２の伝熱板１１ｂを交互に積層して形成されたものである。
【００３９】
熱交換器１１は、熱交換を行なうことができる第１の熱交換風路１１ｃと第２の熱交換風路１１ｄとを備えている。この例では、第１の熱交換風路１１ｃは鉛直方向の風路であり、第２の熱交換風路１１ｄは水平方向の風路である。
【００４０】
図３の矢印Ｃに示すように、送風機８によって吸気口２から吸い込まれた空気は、熱交換器１１の上面である第１の熱交換風路１１ｃの流入口へ流入して、すでに吸熱器１３により冷却除湿された空気と熱交換して予冷され、熱交換器１１の下面である第１の熱交換風路１１ｃの流出口から出る。
【００４１】
そして、第１の熱交換風路１１ｃの流出口から出た空気は、吸熱器１３を通って冷却除湿される。
【００４２】
吸熱器１３によって冷却除湿された空気は第２の熱交換風路１１ｄの流入口より再び熱交換器１１に入り、第１の熱交換風路１１ｃの流入口から流入した空気によって加熱される。
【００４３】
そして、第２の熱交換風路１１ｄの流出口から出た空気は、放熱器５でさらに加熱され、送風機８によって機外に送風される。
【００４４】
このように、吸気口２から本体ケース１内に吸い込まれた空気が、第１の熱交換風路１１ｃ、吸熱器１３、第２の熱交換風路１１ｄ、放熱器５、を順次介する除湿風路１４を備えている。
【００４５】
本実施形態における特徴は、矢印Ｄに示すように、送風機８によって吸気口２から本体ケース１内に吸い込まれた空気の一部が、熱交換器１１（第１の熱交換風路１１ｃおよび第２の熱交換風路１１ｄ）と吸熱器１３を介さずに放熱器５へ送風できるバイパス風路１５を設け、さらに、放熱器５の上端部５ａを熱交換器１１の上端よりも上の高さ位置に設け、この放熱器５の上端部５ａがバイパス風路を形成することにした点である。ここで、放熱器５の上端部５ａとは、除湿装置１０を置いた状態における放熱器５の上端を含んだ放熱器５の部分をいう。
【００４６】
本実施形態の除湿装置１０は、放熱器５へ流入する空気を増大させることで、放熱器５の冷媒と吸気した空気の熱交換量が増し、放熱器５がより冷却されるものである。
【００４７】
また、吸入した空気を、除湿風路１４を通過する空気とバイパス風路１５を通過する空気のふたつに分けることで、熱交換器１１と吸熱器１３に送風される風量を除湿能力が最適な風量に保ちながら、放熱器５に送風する風量を増やすことができるため、除湿能力の低下を防止できる。なお、ふたつに分けられた空気は、送風機８によって混合されて吹出口３から吹き出される。
【００４８】
バイパス風路１５は、除湿風路１４より通風抵抗が少ない風路であるため、送風機８の出力増加を軽減することができる。
【００４９】
特に、放熱器５の上端部５ａを熱交換器１１の上端よりも上の高さ位置に設け、放熱器５の上端部５ａがバイパス風路１５を形成することにしているため、バイパス風路１５の通風抵抗をさらに低くすることができ、放熱器５の冷却を効率良く行うことができる。
【００５０】
これらの結果により、除湿能力を低下させずに消費電力を低減させることができる。
【００５１】
なお、放熱器５の前記上端部５ａにおける何れかの高さは、吸気口の上端と下端の間の高さに位置するという構成にしてもよい。
【００５２】
この構成によれば、本体ケース１の外周壁の上部に設けられた吸気口２から吸い込まれた空気が、熱交換器１１の上方を水平方向に進み、バイパス風路１５を形成する放熱器５の上端部５ａに辿り着く。この空気は、吸気口２から放熱器５の上端部５ａに至るまで、進行方向がほとんど曲げられることなく、放熱器５の上端部５ａに直接辿り着くことができるため、バイパス風路１５の通風抵抗をさらに低くすることができる。
【００５３】
また、放熱器５の上端部５ａの下端よりも下方における放熱器５の他の一部分５ｂが除湿風路１４を形成し、放熱器５の上端部５ａの下端から上端までの長さは、放熱器５の他の一部分５ｂの下端から上端までの長さより短いという構成にしてもよい。ここで、放熱器５の上端部５ａの下端の高さは、熱交換器１１の上端の高さをいう。
【００５４】
この構成によれば、通風抵抗が比較的小さいバイパス風路１５を形成する放熱器５の上端部５ａを、通風抵抗が比較的大きい除湿風路１４を形成する放熱器５の他の一部分５ｂよりも狭くすることができる。具体的には、除湿風路１４には、第１の熱交換風路１１ｃ、吸熱器１３、第２の熱交換風路１１ｄを有し、バイパス風路１５には、第１の熱交換風路１１ｃ、吸熱器１３、第２の熱交換風路１１ｄを有さない。
【００５５】
この構成によれば、バイパス風路１５は、除湿風路１４に比べ通風抵抗が小さいので、放熱器５の上端部５ａの面積を放熱器５の他の一部分５ｂより小さくしても、除湿風路１４による除湿とバイパス風路１５による放熱器５の冷却をバランス良く行うことができるので、除湿能力の低下を防ぎつつ、除湿装置の消費電力をさらに下げることができる。
【００５６】
また、除湿風路１４を通過する空気の量よりもバイパス風路１５を通過する空気の量の方が多いという構成にしてもよい。
【００５７】
この構成によれば、除湿風路１４による除湿とバイパス風路１５による放熱器５の冷却をバランス良く行うことができるので、除湿能力の低下を防ぎつつ、除湿装置の消費電力をさらに下げることができる。
【００５８】
具体的には、放熱器５の上部には、圧縮機６から伸びた冷媒配管が接続され、放熱器５の下部には、膨張手段１２から伸びた冷媒配管が接続されている。圧縮機６で高温となった冷媒は、最初に、放熱器５の上部、つまり放熱器５の上端部５ａに流れ込む。これにより、放熱器５において、上端部５ａは、他の一部分５ｂに比べて温度が高いものとなる。そして、除湿風路１４には、第１の熱交換風路１１ｃ、吸熱器１３、第２の熱交換風路１１ｄを有するので、バイパス風路１５は、除湿風路１４に比べ通風抵抗が小さいものである。
【００５９】
すなわち、放熱器５における他の一部分５ｂに比べて温度が高い上端部５ａに、除湿風路１４を通過する空気より多くの量のバイパス風路１５を通過する空気が流れるので、除湿風路１４による除湿とバイパス風路１５による放熱器５の冷却をバランス良く行うことができる。
【００６０】
また、本体ケース１の吹出口３は、吸気口２と同じ或いは吸気口２よりも高い高さ位置に設けられたという構成にしてもよい。
【００６１】
この構成によれば、部屋の中で除湿装置１０から除湿された空気が効果的に吹き出されるため、除湿効率を高めることができる。
【００６２】
また、放熱器５の上端部５ａの下端より高い範囲に、熱交換器１１および吸熱器１３を設けず、放熱器５の上端部５ａの下端よりも低い範囲に、熱交換器１１および吸熱器１３を設けるという構成にしてもよい。
【００６３】
この構成によれば、本体ケース１の外周壁の上部に設けられた吸気口２から吸い込まれた空気が、吸熱器１３および熱交換器１１の上方を進み、バイパス風路１５を形成する放熱器５の上端部５ａに辿り着く。この空気は、吸気口２から放熱器５の上端部５ａに至るまで、進行方向が頻繁に曲げられることなく、放熱器５の上端部５ａに直接辿り着くことができるため、バイパス風路１５の通風抵抗をさらに低くすることができる。
【００６４】
また、送風機８のケーシング部８ａの吸込口９ａは、吸熱器１３、熱交換器１１、放熱器５と対向し、バイパス風路１５は、放熱器５の周縁部の少なくとも一部の近傍に連通するという構成にしてもよい。
【００６５】
また、送風機８によって、吸気口２からバイパス風路１５を介して放熱器５の上端部５ａへ送風される空気は、ヒートポンプの冷媒が流れる方向における放熱器５の上端部５ａの下流側に送風される風量より、ヒートポンプの冷媒が流れる方向における放熱器５の上端部５ａの上流側に送風される風量が大きいという構成にしてもよい。
【００６６】
この構成によれば、ヒートポンプの冷媒が流れる方向における放熱器５の上端部５ａの上流側は、放熱器５の高温部分であるため、バイパス風路１５に吸気した空気をヒートポンプの冷媒が流れる方向における放熱器５の上端部５ａの上流側に多く送風することで、放熱器５の熱交換量が大きくなる。このため、放熱器５が効率よく冷却されることでヒートポンプの消費電力を低減できる。
【００６７】
具体的には、放熱器５の上端部５ａにおける何れかの高さは、吸気口２の上端と下端の間の高さに位置し、更に、放熱器５の上端部５ａにおける何れかの高さは、吸気口２の上端より下端に近い位置にしてもよい。そして、放熱器５の上端部５ａの上方で、吸気口２に対向した位置には、空間部１６を有してもよい。本体ケース１内には、吸気口２側から順に、吸熱器１３、熱交換器１１、放熱器５、送風機８が配置されており、空間部１６の一部は、放熱器５の上端面と送風機８のケーシング部８ａの外面とによって囲まれている。
【００６８】
これにより、吸気口２からバイパス風路１５を介して放熱器５の上端部５ａへ送風される空気は、放熱器５の上端部５ａにおける上部には、２つの面から流れ込み易くなるので、上端部５ａにおける下部に比べ、上端部５ａにおける上部に多く流れ込むと考えられる。
【００６９】
１つ目の面は、放熱器５の上端部５ａにおける吸気口２に対向した面である。２つ目の面は、本体ケース１の天面に対向した面、つまり上端面である。この上端面には、吸気口２からバイパス風路１５、および上端部５ａの上方の空間部１６を介して流れ込むと考えられる。また、空間部１６に達した空気の一部は、吸気口２に対向したケーシング部８ａの外面に当たることにより、下方へ方向を変えて、上端面に流れ込むとも考えられる。
【００７０】
すなわち、放熱器５の上端部５ａにおける２つの面から、放熱器５の上端部５ａにおける上部に流れ込むので、吸気口２からバイパス風路１５へ流れた空気は、放熱器５の上端部５ａにおける下部に比べ上部に多く流れ込むと考えられる。
【００７１】
すなわち、放熱器５の上端部５ａにおいて、下部より温度が高い上部、つまりヒートポンプの冷媒が流れる方向における放熱器５の上端部５ａの上流側に、バイパス風路１５を通過する空気が上端部５ａにおける下部より多く流れるので、放熱器５の上端部５ａの冷却をバランス良く行うことができる。
【産業上の利用可能性】
【００７２】
本発明の除湿装置は、家庭用や事務所用などの、除湿装置として活用が期待されるものである。
【符号の説明】
【００７３】
１    本体ケース
２    吸気口
３    吹出口
４    タンク
５    放熱器
５ａ  上端部
５ｂ  他の一部分
６    圧縮機
７    ドレインパン
８    送風機
８ａ  ケーシング部
８ｂ  モータ部
８ｃ  羽根部
９ａ  吸込口
９ｂ  吐出口
１０    除湿装置
１１    熱交換器
１１ａ  第１の伝熱板
１１ｂ  第２の伝熱板
１１ｃ  第１の熱交換風路
１１ｄ  第２の熱交換風路
１２    膨張手段
１３    吸熱器
１４    除湿風路
１５    バイパス風路
１６    空間部
【図１】
2015013245.tif 000003
【図２】
2015013245.tif 000004
【図３】
2015013245.tif 000005
【図４】
2015013245.tif 000006
【図５】
2015013245.tif 000007